(57)【要約】【課題】大型化しても施工現場で簡単に早く組み立てられ、工期が短縮できると共に施工コストも大幅に削減できる組立ハウスを提供する。【解決手段】本発明の組立ハウスは、基礎Ｋの上面に並置される第１ハウスユニットＨ１及び第２ハウスユニットＨ２を有し、これらの向い合う側面２ｃ，２ｃの上下端縁に屋根材５と床板材６を軸着し、また、両側面２ｃ，２ｃに対向位置して連絡口４を開設し、いずれかの連絡口４の前端縁にドア取付板材７を軸着し、いずれかの連絡口４の後端縁に後覆板材８を軸着し、両床板材６，６を旋回して水平位置で連接すると共にドア取付板材７と後覆板材８とを第１ハウスユニットＨ１と第２ハウスユニットＨ２との間に差し渡し、更に、両屋根材５，５を旋回して互いに寄り掛からせて組立てられるようにした。【選択図】図３
2005273343.tif 000002
【特許請求の範囲】
【請求項１】
基礎の上面に置くだけで設置されかつ所定の間隔離して並置される箱型の第１ハウスユニット及び第２ハウスユニットを有し、第１・第２ハウスユニットにおける向い合う側面の上下端縁に鉛直方向に旋回し得る屋根材と床板材をそれぞれ軸着し、また、前記両側面に対向位置して連絡口を開設し、前記いずれかの連絡口の前端縁にドア取付板材を軸着し、前記いずれかの連絡口の後端縁に後覆板材を軸着し、前記ドア取付板材と後覆板材とは前記連絡口内から外側へ水平方向に旋回し得ると共に第１ハウスユニットと第２ハウスユニットとの間に差し渡される横幅を有し、
第１・第２ハウスユニットの前記両床板材を水平に配置して連接し、前記ドア取付板材と後覆板材とを第１ハウスユニットと第２ハウスユニットとの間に差し渡し、更に、前記両屋根材を互いに寄せ掛けて組立てられるようにしたことを特徴とする組立ハウス。
【発明の詳細な説明】
【技術分野】
【０００１】
本発明は、アトリエ、ミニ美術館、宿泊施設、介護施設、社員寮、レンタル施設、倉庫、店舗等の建物として利用され、施工現場では簡単に早く組立てることができるようにした組立ハウスに関するものである。
【背景技術】
【０００２】
例えば、この種組立ハウスには次のようなものがある。すなわち、組立ハウスを構成する下側の床パネル接合体、両側の壁付屋根ユニット、前後側の壁面材、上側の中間屋根面材といった建築材がそれぞれ予め製作される。そして、これらを施工現場に移送し、その現場で下側の床パネル接合体、両側の壁付屋根ユニットなどを接合して組立ハウスを組立てるようにしている（例えば、特許文献１参照。）。
【特許文献１】特開平６−１０１２７５号公報（第３頁、図１）
【発明の開示】
【発明が解決しようとする課題】
【０００３】
前記特許文献１のように、床パネル接合体、壁付屋根ユニット、壁面材、中間屋根面材といった建築材を予め製作しておくことは、それら建築材の点数が非常に多くなることから管理が難しい。また、施工現場では、多くの建築材を作業者が逐一接合しつつ組立てねばならないので、面倒な作業を強いられ時間も掛かる。特に、組立ハウスの施工個数が多いと、工期が長引くばかりか人件費を初め施工コストが高くなるという課題が有る。特に、組立ハウスが大型化してくると前記課題は更に顕著になる。
【０００４】
そこで、本発明は組立ハウスが大型化しても、建築材の点数が少なくその管理が容易であって、施工現場でも簡単に早く組み立てられ、工期が短縮できると共に人件費を初めとする施工コストも大幅に削減できる組立ハウスを提供することを目的とするものである。
【課題を解決するための手段】
【０００５】
かかる目的を達成するため本発明の組立ハウスは、基礎の上面に置くだけで設置されかつ所定の間隔を離して並置される箱型の第１ハウスユニット及び第２ハウスユニットを有し、第１・第２ハウスユニットにおける向い合う側面の上下端縁に鉛直方向に旋回し得る屋根材と床板材をそれぞれ軸着し、また、前記両側面に対向位置して連絡口を開設し、前記いずれかの連絡口の前端縁にドア取付板材を軸着し、前記いずれかの連絡口の後端縁に後覆板材を軸着し、前記ドア取付板材と後覆板材とは前記連絡口内から外側へ水平方向に旋回し得ると共に第１ハウスユニットと第２ハウスユニットとの間に差し渡される横幅を有し、第１・第２ハウスユニットの前記両床板材を水平に配置して連接し、前記ドア取付板材と後覆板材とを第１ハウスユニットと第２ハウスユニットとの間に差し渡し、更に、前記両屋根材を互いに寄せ掛けて組立てられる。
【０００６】
また、本発明では、工場で第１・第２ハウスユニットを成形するに、その各周側面について石板等の外装材や木板等の内装材、また床材については木板等の内装材まで張設し、更に、屋根材についてもステンレス板等の外装材や木板等の内装材までも張設するようにしており、これら外装材と内装材との間には断熱材を介装することが好ましい。このように、施工現場でしかできないことを残し、できるだけ工場で製作するようにしている。
【発明の効果】
【０００７】
本発明の組立ハウスは、第１・第２ハウスユニットが並置され大型化してなるが、第１・第２ハウスユニットは箱型に成形され、また、向い合う両側面の上下端縁に屋根材と床板材をそれぞれ軸着し、また、前記両側面に開設されたいずれかの連絡口の前端縁にドア取付板材を軸着し、いずれかの連絡口の後端縁に後覆板材を軸着した構成からなるので、建築材の点数が極端に少なくなり、それら建築材の管理が極めて容易に行える。また、施工現場では建築材の点数が少なくしかも屋根材、床板材等を旋回させるのみでほとんど済むことから、大型化した組立ハウスであっても簡単に早く組み立てられることになり、工期が短縮でき人件費を初めとする施工コストも削減されるという有益な効果がある。
【発明を実施するための最良の形態】
【０００８】
以下、本発明に係る組立ハウスの実施の形態を図面に基き詳細に説明する。本発明の組立ハウスは、大型のものであって、例えばアトリエ、ミニ美術館、宿泊施設、介護施設、社員寮、レンタル施設、倉庫、店舗等の建物に利用される。図１は第１ハウスユニットの斜視図、図２は同各部を旋回させた状態の斜視図、図３は第２ハウスユニットの斜視図、図４は同各部を旋回させた状態の斜視図をそれぞれ示す。
【０００９】
本発明に係る組立ハウスＨは第１・第２ハウスユニットＨ１，Ｈ２からなり、これらは工場で生産される。そして、施工現場の地面Ｅにコンクリートにより平坦に成形された基礎Ｋの上面に置くだけで設置される。
【００１０】
そこで、まず第１ハウスユニットＨ１について説明する。この第１ハウスユニットＨ１は、箱型であって直方体形状に成形される。すなわち、Ｈ鋼を溶接して直方体形状に枠組みし、下面を床壁材１、周側面を周側壁材２、上面を天壁材３によりそれぞれ覆うようにしている。また、第１ハウスユニットＨ１は立方体形状であっても良い。周側壁材２の内、前・後側壁材２ａ，２ｂにガラス窓４５が装着される。また、一方の側壁材２ｃ（第２ハウスユニットＨ２との向い合う側壁材２ｃ）に前側の一部を残して方形状の連絡口４が開設される。
【００１１】
また、前記側壁材２ｃの上端縁に、その上端縁全体の長さと同じ横幅を有しかつ第１・第２ハウスユニットＨ１，Ｈ２間の間隔の２分の１よりも長い縦幅を有する方形板状の屋根材５が軸着される。また、側壁材２ｃの下端縁には、連絡口４に対応してその下端縁の長さと同じ横幅を有しかつ第１・第２ハウスユニットＨ１，Ｈ２間の間隔のほぼ２分の１の縦幅を有する床板材６が軸着される。これにより、屋根材５と床板材６は共に鉛直方向で上下に旋回する。前記屋根材５の先端面は、第２ハウスユニットＨ２側の屋根材５の先端面と当接し、互いに寄せ掛けられて山型をなす関係上、その上・下面に対し所定角度になるように傾斜させてある。
【００１２】
前記連絡口４の前端縁と後端縁とに、水平方向に旋回するドア取付板材７と後覆板材８が軸着される。これらドア取付板材７と後覆板材８とは、いずれも同じ大きさの方形板状に成形され、連絡口４内に収容される位置と、第１ハウスユニットＨ１と第２ハウスユニットＨ２との間に差し渡される位置とに移動できるようになっている。このため、ドア取付板材７と後覆板材８は第１・第２ハウスユニットＨ１，Ｈ２間の間隔と同じ横幅を有する。ドア取付板材７には入口が設けられると共に該入口にドアー９が回動自在に装着されている。また、ドア取付板材７と後覆板材８との上端縁には、それぞれ同じ形状の三角パネル１０が軸着される。各三角パネル１０は、両屋根材５，５を互いに寄せ掛けたとき、ドア取付板材７、後覆板材８の上端縁から上方に成形される隙間を塞ぐためのものである。
【００１３】
前記各三角パネル１０は、それぞれ旋回してドア取付板材７、後覆板材８の内側へ折り畳め、また、ドア取付板材７、後覆板材８の上端面に起立できるようになっている。各三角パネル１０は、蝶番で軸着されるが、その他に例えばその下端面に突起を設け、一方、ドア取付板材７、後覆板材８の上端面に前記突起が嵌入するボス穴を設け、ボス穴に突起を嵌脱自在に嵌入することにより、三角パネル１０を着脱自在に取付けるようにしても良い。
【００１４】
第１ハウスユニットＨ１の四隅部の下面、すなわち鉄骨製の方形枠体１１の四隅部の下面、に下方へ突出する脚柱１２が設けられ、その下端に下側を向く半球体状の突子１３が設けられる。一方、前記基礎Ｋの上面に、第１ハウスユニットＨ１の各突子１３に対応位置して該各突子１３を受け止める受枠体１４が配置固定される。そして、前記突子１３と受枠体１４を合わせて耐震構造をなす。受枠体１４については後で詳しく説明する。
【００１５】
第２ハウスユニットＨ２は、第１ハウスユニットＨ１と比べ、前記ドア取付板材７と後覆板材８が備えられてない点以外同じ構成からなるので、第１ハウスユニットＨ１と同一部位は同一番号を附すことにより詳しい説明は省略する。
【００１６】
次に、組立ハウスＨの組立手順を説明する。第１・第２ハウスユニットＨ１，Ｈ２は、施工現場まで図１、図３に示すようにドア取付板材７、後覆板材８が連絡口４内に折り畳められ、屋根材５、床板材６も折り畳められている。また、第１・第２ハウスユニットＨ１，Ｈ２は通常トラックに載せられる程度の大きさに成形されることから、全体にコンパクトになり輸送が楽である。そして、施工現場では、図５に示すように基礎Ｋの上面に所定の間隔を離して第１・第２ハウスユニットＨ１，Ｈ２が平行に配置される。
【００１７】
この際、第１・第２ハウスユニットＨ１，Ｈ２下面の各突子１３が各受枠体１４に受け止められ、第１・第２ハウスユニットＨ１，Ｈ２は各突子１３に支持されて宙に浮いた状態になる。また、連絡口４が対向位置するようにして第１・第２ハウスユニットＨ１，Ｈ２が配置される。
【００１８】
そこで、図６に示すように第１・第２ハウスユニットＨ１，Ｈ２の各床板材６を旋回させて水平位置で連接する。この際、各床板材６，６は水平が保持されるようにその先端縁を枕部材１５に支持させる。また、枕部材１５の上面であって床板材６，６の先端間の隙間１６には、両床板材６，６と上面が面一となるスペーサー部材１７が介装される。通常、スペーサー部材１７は枕部材１５に接着または螺子止めにより固定される。
【００１９】
次に、図７に示すように両第１・第２ハウスユニットＨ１，Ｈ２の両屋根材５，５を引き起し、この状態で、連絡口４内からドア取付板材７と後覆板材８を水平に旋回させて第１・第２ハウスユニットＨ１，Ｈ２間に差し渡されるように配置する。更に、ドア取付板材７と後覆板材８の上端面に三角パネル１０を旋回して起立させる。
【００２０】
最後に、図８に示すように第１・第２ハウスユニットＨ１，Ｈ２の各屋根材５，５を内側に互いに寄り掛かるように旋回させ、各三角パネル１０の両傾斜辺に当接させる。図示は省略するが、両屋根材５，５は、互いの先端部をボルト締めして固定される。また、両屋根材５，５の頂部並びに裾部にはこれらに沿って横断面山形の傘部材１８がビス止めして取付けられる。これら傘部材１８はその隙間からの雨水の浸入を防止するためである。
【００２１】
このようにして組立ハウスＨが完成する。この場合、第１・第２ハウスユニットＨ１，Ｈ２は箱型に成形されており、向い合う両側面の上下端縁に屋根材５，５と床板材６，６がそれぞれ軸着され、また、前記側面に設けられた連絡口４の前端縁と後端縁にドア取付板材７と後覆板材８が軸着された構成からなるので、建築材の点数を極端に少なくでき、それら建築材の管理が極めて容易に行える。
【００２２】
また、施工現場では建築材の点数が少なくしかも屋根材５、床板材６等を旋回させるのみでほとんど済むことから、大型化した組立ハウスＨであっても簡単に早く組み立てられることになり、工期が短縮できる。
【００２３】
図９に示すように、前記各第１・第２ハウスユニットＨ１，Ｈ２にあっては、床壁材１が、鉄骨製の方形枠体１１に外装材である鉄板１９を張設し、その上面に角材からなる内装下地材２０を等間隔に複数本敷設し、更に、その上面に内装材である床板２１を張設して成形される。前記鉄板１９と床板２１との間には断熱材２２が介装される。
【００２４】
前記各側壁材２ａ，２ｂ，２ｃは次のようにして成形される。すなわち、鉄骨製の各方形枠体の外側に所定の大きさの正面方形状の石板２３が上下・左右に複数枚列設される。各石板２３は、図１０に示すように上・下端面の両側にそれぞれ一対の保持孔２４，２４が穿設される。一方、一群の石板２３の内側には鉄板２５が張設され、その前面に前記各石板２３の上下両側の保持孔２４，２４に対応位置して複数の支持枠２６が突設されている。各支持枠２６は、前方へ突出する水平板部２６ａを有し、この水平板部２６ａに上下に移動しかつ前記各石板２３の各保持孔２４に挿通し得る支持ピン２７が螺装される。これにより、各石板２３が固定される。前記鉄板２５の内側には断熱材２８が張設され、また、その内側に角材からなる内装下地材２９が等間隔に複数本列設され、更に、その内側に内装材である木板３０が張設される。前記各石板２３間に漆喰を詰め込み、石板２３と鉄板２５との間にはモルタル３１を充填する。
【００２５】
前記天壁材３も同じであるが、屋根材５は、外装材であるステンレス板３２の内側に断熱材３３が張設され、その内側に内装材である木板３４が張設されている。なお、図示は省略するが、前記三角パネル１０は、外装材である土壁の内側に断熱材を介して内装材である木板を張り合わせて成形される。これら組合せは、例示的に列挙したものであって、この組合せに限定されるものではない。例えば、前記天壁材３、屋根材５では外装材として銅板、同じく内装材として土壁またはモルタル壁を使用しても良く、組立ハウスＨは、木造または鉄筋コンクリート造りであっても良い。いずれにしても、第１・第２ハウスユニットＨ１，Ｈ２における内装材及び外装材まで工場で製作される。
【００２６】
前記耐震構造について説明する。図９、図１１に示すように脚柱１２は、側面Ｕ字状をなすと共にその上端部が第１・第２ハウスユニットＨ１，Ｈ２の底面に設けられた方形枠体１１にボルト３５締めされる。また、脚柱１２の中間板部１２ａに螺子孔３６が開設され、該螺子孔３６に突子１３から上方へ延びる螺子軸３７が螺合している。中間板部１２ａの上下両面側から螺子軸３７に調整ナット３８が螺合され、これら調整ナット３８を緩めることにより第１・第２ハウスユニットＨ１，Ｈ２の底面の高さが調節できるようになっている。すなわち、第１・第２ハウスユニットＨ１，Ｈ２は各突子１３に支持され、各突子１３を上下動させることにより第１・第２ハウスユニットＨ１，Ｈ２の高さと水平度が調整できる。
【００２７】
一方、受枠体１４は、鉄または鋳物により成形され、図９、図１１に示すように基礎Ｋに固定ボルト３９で固定される方形状の受板４０のほぼ中央部に開口４１が開設され、その下方に内周面４２ａが前記開口４１よりも内径の大きい凹弧面に成形される受皿部４２が受板４０と一体に成形されている。受皿部４２の内周面４２ａにおける中心位置に楕円状の水抜き孔４３が開設されている。この水抜き孔４３の長さ寸法は、突子１３の外径寸法よりも長く設定される。
【００２８】
そして、前記突子１３が開口４１を介して受皿部４２内に挿入され、受皿部４２の内周面４２ａ上に配置される。突子１３は外周面が球面であることから、内周面４２ａとの接触面積が小さく突子１３が自在に摺動できることになる。これによって、地震時における組立ハウスＨの揺れを防止することができる。前記開口４１は受皿部４２の内径よりも小さいことから、地震の揺れにより突子１３が受皿部４２から容易に抜け出ることがない。また、水抜き孔４３が楕円形状に成形されているのは、その中心に突子１３が位置しても、水抜き孔４３の両端部は突子１３よりも外側へ食み出て塞がれることがなく、受皿部４２内に入った雨水を確実に排出するためである。水抜き孔４３から排出された雨水は排出管４４を介して所定の位置に排出されるようになっている。水抜き孔４３は前記楕円形状に限らず、図示は省略するが、例えば受皿部４２の内周面４２ａにおける中心の周囲に２乃至３個の円孔を開設するようにしても良い。
【００２９】
本発明では第１ハウスユニットＨ１における連絡口４の前・後端縁にドア取付板材７と後覆板材８をそれぞれ設けるようにしたが、これらの一方を第２ハウスユニットＨ２における連絡口４の前端縁または後端縁に設けるようにしても良く、更には両方とも第２ハウスユニットＨ２における連絡口４の前後端縁に設けるようにしても良い。また、前記受枠体１４では、受板４０の下面に受皿部４２を設けるようにしたが、受板４０の上面に隆起部を設け、その上面に開口４１を開設すると共に中に受皿部４２を設けるようにしても良い。また、前記コンクリート製の基礎Ｋは、平坦面に限らず通常成形される畝状の基礎であっても良い。
【００３０】
このようにして、石造り風のどっしりとした大型の組立ハウスＨが組立てられる。最終的には、組立ハウスＨに水道や電気を引き込み、内部にトイレ、キッチン、洗面台、風呂等の生活に必要な設備が配置される。第１・第２ハウスユニットＨ１，Ｈ２を工場で製作する際に、トイレ、キッチン等の設備をあらかじめ設置しておくようにしても良い。また、本発明の組立ハウスＨは、組立が簡単であると同時に分解も簡単であり、更に、基礎Ｋの上面に載っているにすぎないことから、例えば他の場所に移転する場合も、簡単に分解できてその作業も楽である。
【図面の簡単な説明】
【００３１】
【図１】第１ハウスユニットの斜視図。
【図２】同各部を旋回させた状態の斜視図。
【図３】第２ハウスユニットの斜視図。
【図４】同各部を旋回させた状態の斜視図。
【図５】基礎上面に配置した第１・第２ハウスユニットの側面図。
【図６】同組立手順を示す第１・第２ハウスユニットの側面図。
【図７】同組立手順を示す第１・第２ハウスユニットの側面図。
【図８】完成した組立ハウスの側面図。
【図９】組立ハウスの一部縦断側面図。
【図１０】石板の接続部位の拡大断面図。
【図１１】図９のＸ−Ｘ線断面図。
【符号の説明】
【００３２】
２ｃ      側壁材
４        連絡口
５        屋根材
６        床板材
７        ドア取付板材
８        後覆板材
Ｈ        組立ハウス
Ｈ１      第１ハウスユニット
Ｈ２      第２ハウスユニット
Ｋ        基礎
【図１】
2005273343.tif 000003
【図２】
2005273343.tif 000004
【図３】
2005273343.tif 000005
【図４】
2005273343.tif 000006
【図５】
2005273343.tif 000007
【図６】
2005273343.tif 000008
【図７】
2005273343.tif 000009
【図８】
2005273343.tif 000010
【図９】
2005273343.tif 000011
【図１０】
2005273343.tif 000012
【図１１】
2005273343.tif 000013